(57)【要約】【課題】  複数の反射面間の角度精度、面精度等を損なうことなく、有効反射断面積の大型化と取り扱いの利便性の向上とを両立させる。【解決手段】  各々が直角二等辺三角形の底部反射板１１、左反射板１２、右反射板１３の隣り合う辺同士を屈曲可能にヒンジ１５で結合するとともに、固定金具１６にて展開自在に固定する構造とした三面体コーナレフレクタ１０である。組み立て状態では、底部反射板１１〜右反射板１３で構成される反射面Ａ〜反射面Ｃの各々には一切の凹凸や分割線、部品は存在せず、三面体コーナレフレクタ１０の輪郭となる底部反射板１１〜右反射板１３の各辺には面取り部１４が設けられ、反射面Ａ〜反射面Ｃに正対するレーダビームの入射方向からは、底部反射板１１〜右反射板１３の板厚の端面は不可視となっており、端面でのレーダビームの乱反射は発生しない。【選択図】図１
2006013819.tif 000002
【特許請求の範囲】
【請求項１】
互いに直交する反射板を組みあわせたレーダ用レフレクタであって、複数の前記反射板の境界の各辺を屈曲可能に結合するヒンジ結合部を含む展開構造を備えたことを特徴とするレーダ用レフレクタ。
【請求項２】
互いに直交する反射板を組みあわせたレーダ用レフレクタであって、複数の前記反射板の組み立て状態において、レーダビームの入射方向から不可視となるように個々の前記反射板に穿設された複数のねじ穴と、前記ねじ穴に螺合して複数の前記反射板を締結するねじと、を含むことを特徴とするレーダ用レフレクタ。
【請求項３】
互いに直交する反射板を組みあわせたレーダ用レフレクタであって、組み立て状態の複数の前記反射板の対称軸上に、当該対称軸をレーダビームの入射方向に位置決めするための位置合わせマーカを移動自在に配置するマーカ取付治具を備えたことを特徴とするレーダ用レフレクタ。
【発明の詳細な説明】
【技術分野】
【０００１】
本発明は、レーダ用レフレクタに関し、特に、レーダ装置の標的としてのレーダ反射板を備えた三面体コーナレフレクタ等に適用して有効な技術に関する。
【背景技術】
【０００２】
たとえば、鉄道や道路等の交通路における列車、車両、障害物の監視等の目的で、高精度のミリ波等のレーダビームを用いるレーダ装置が普及してきており、設置や保守管理の調整作業においても、一層の高精度化を要求されている。
【０００３】
レーダの性能評価等において、正確な受信電力を知ることは必要不可欠である。レーダ評価時に測定ターゲットとして一般的に使用されるものに三面体コーナレフレクタがある。
三面体コーナレフレクタは互いに直交する金属板を組みあわせたものであり、電波ビームがこの三面体コーナレフレクタに当たると三重反射を行い、ビームの入射した方向に反射していく。また、探知距離を向上するには三面体コーナレフレクタの形状を大きくする必要がある。形状を大きくすると持ち運びに不便さが生じるため、レフレクタの各反射面を折り畳み可能にする技術が知られている（たとえば、特許文献１、特許文献２）。
ところで、三面体コーナレフレクタでは、図１１に示されるように、レフレクタに対する入射角度の変化によって利得は低下し、また、図１３（ａ）および（ｂ）に示されるように、有効反射断面積は入射波の入射角度に依存する。また、図１２に示されるように、反射面の凹凸が大きいと反射波の利得が低下する。
従って、精度を要求された測定では各コーナレフレクタの金属板がなす角度の精度（図１１，図１３）、三面体コーナレフレクタを構成するための金属板の表面の面精度（図１２）、三面体コーナレフレクタで必要とされる有効反射面積（図１３）を損なわずに測定できることが必要不可欠となる。
しかしながら、従来の展開可能なレフレクタでは、たとえば特許文献１の場合では、一つの反射板を複数個に分割してヒンジ部材で折り曲げる構成であるため、一つの反射面内に多数の分割溝が存在することとなり、各反射板を互いに正確に９０度に直交させることや、反射面全体の平坦度や平滑度等の面精度を保つことが困難であった。
【０００４】
同様に特許文献２では、薄板からなる反射板の周辺部に連結用のフランジを設け、このフランジを貫通するねじにて反射板を相互に締結して組み立てる構造であるため、反射板がたわみ易く高い面精度を実現することが困難であるとともに、締結用のねじ、フランジ、継ぎ目が有効反射領域内に露出しているため、実質的な有効反射面積が損なわれ、測定精度に影響を及ぼすことが懸念される。
【０００５】
さらに、三面体コーナレフレクタを用いた測定時においては、反射板の撓みを防止すべく厚板材を用いると、板の厚さがビームの入射した方向から見える構造となるため、高精度を要求される測定では板厚部分からの乱反射等に起因する誤差を生じることも懸念される。
【０００６】
又、三面体コーナレフレクタは図１１に示すように、反射面の対称軸にビームの入射方向が一致する場合に反射利得が大きくなるような指向性をもっており、受信電力を最大にするためには、三面体コーナレフレクタの対称軸上に、レーダ装置の送信アンテナの中心軸がくるようにする必要がある。しかし、レフレクタ側の対称軸とレーダビームの入射方向をあわせるために、三面体コーナレフレクタ単独で目視等により位置調整を行うには困難が伴った。
【０００７】
なお、レフレクタの反射面内の中央部を開口して位置合わせ用のマーカを設けることも考えられるが、その分だけ有効反射面積が損なわれ、測定精度に影響を及ぼすことが懸念される。
【特許文献１】実開平５−５９９２５号公報
【特許文献２】実開昭５８−６４０９号公報
【発明の開示】
【発明が解決しようとする課題】
【０００８】
本発明の目的は、レーダ評価時に高精度の測定ターゲットとして使用することが可能なレーダ用レフレクタを提供することにある。
本発明の他の目的は、複数の反射面間の角度精度、面精度等を損なうことなく、有効反射断面積の大型化と取り扱いの利便性の向上とを両立させることが可能なレーダ用レフレクタを提供することにある。
【０００９】
本発明の他の目的は、三面体コーナレフレクタの有効反射断面積を損なうことなくレーダ反射板におけるレーダ有効断面積を大きくする際における大型形状による問題の解決および測定の効率化のために構造を改善したレーダ用三面体コーナレフレクタを提供することにある。
【課題を解決するための手段】
【００１０】
本発明の第１の観点は、互いに直交する反射板を組みあわせたレーダ用レフレクタであって、複数の前記反射板の境界の各辺を屈曲可能に結合するヒンジ結合部を含む展開構造を備えたレーダ用レフレクタを提供する。
【００１１】
本発明の第２の観点は、互いに直交する反射板を組みあわせたレーダ用レフレクタであって、複数の前記反射板の組み立て状態において、レーダビームの入射方向から不可視となるように個々の前記反射板に穿設された複数のねじ穴と、前記ねじ穴に螺合して複数の前記反射板を締結するねじと、を含むレーダ用レフレクタを提供する。
【００１２】
本発明の第３の観点は、互いに直交する反射板を組みあわせたレーダ用レフレクタであって、組み立て状態の複数の前記反射板の対称軸上に、当該対称軸をレーダビームの入射方向に位置決めするための位置合わせマーカを移動自在に配置するマーカ取付治具を備えたことを特徴とするレーダ用レフレクタを提供する。
【００１３】
本発明の第４の観点は、互いに直交する反射板を組みあわせたレーダ用レフレクタであって、前記反射板に対するレーダビームの入射方向から見て、個々の前記反射板の端面の板厚が不可視となるように、個々の前記反射板の辺に面取部が設けられているレーダ用レフレクタを提供する。
上記した本発明の第１および第２の観点によれば、個々の反射板を分割することなく、各辺だけのねじ止めによる展開構造、もしくは反射板の各辺でのヒンジ結合による展開構造を有する構成としたので、各反射面を折り曲げるための分割線等が反射面に存在せず、また、組み立て状態では、ねじやねじ穴は不可視であるため、測定時における面精度への影響を及ぼさず組み立てることが可能となる。すなわち、面精度の低下等を懸念することなく、反射板を大型化してレーダ有効断面積の増大させることができるとともに、コンパクトに折り畳んで簡便に取り扱うことが可能になる。
また、本発明の第３の観点によれば、マーカの使用時に位置合わせマーカをレーダ用レフレクタの対称軸上に移動させ、それ以外は、反射領域から退避させて収納することで、マーカ設置のために反射板の反射面を損なうことなく、対称軸をレーダビームの入射方向に正確に位置決めすることが可能となり、レーダ用レフレクタを用いたレーダ装置の調整作業を精度良く迅速に行うことが可能になる。
また、本発明の第４の観点によれば、反射板の撓みを防止して面精度を確保すべく厚板材を反射板に用いても、レーダビームの入射方向から見た反射板の輪郭に板厚部分が見えないので、当該板厚部分での乱反射がなくなり、レーダ装置の調整作業の高精度のターゲットとしてレーダ用レフレクタを用いることができる。
【発明の効果】
【００１４】
本発明によれば、レーダ評価時に高精度の測定ターゲットとして使用することが可能なレーダ用レフレクタを提供することができる。
また、複数の反射面間の角度精度、面精度等を損なうことなく、有効反射断面積の大型化と取り扱いの利便性の向上とを両立させることが可能となる。
【００１５】
また、三面体コーナレフレクタの有効反射断面積を損なうことなくレーダ反射板におけるレーダ有効断面積を大きくする際における大型形状による問題の解決および測定の効率化のために構造を改善したレーダ用三面体コーナレフレクタを提供することができる。
【発明を実施するための最良の形態】
【００１６】
以下、図面を参照しながら、本発明の実施の形態について詳細に説明する。
図１（ａ）および（ｂ）は、本発明の一実施の形態であるレーダ用レフレクタの構成の一例を示す分解組み立て図であり、図２は、その構成および作用を示す説明図である。以下の説明では、レーダ用レフレクタの一例として、互いに直交する三つの反射面を有する三面体コーナレフレクタの場合を例にとって説明する。
【００１７】
図１（ａ）に例示されるように、本実施の形態の三面体コーナレフレクタ１０は、各々が直角二等辺三角形からなる底部反射板１１、左反射板１２および右反射板１３を備え、各々の主面が、たとえば研磨加工等にて平坦に加工されることで反射面Ａ、反射面Ｂおよび反射面Ｃとして機能するようになっている。
【００１８】
図１（ｂ）に例示されるように、底部反射板１１〜右反射板１３の背面側（反射面Ａ〜反射面Ｃの反対側）には、中央の底部反射板１１と、左右の右反射板１３および左反射板１２を屈曲自在に結合するヒンジ１５が設けられている。このヒンジ１５は、底部反射板１１、左反射板１２、右反射板１３が直角三角錐をなすように、互いに９０度の交差角度をなすまで屈曲することが可能になっている。
【００１９】
また、右反射板１３および左反射板１２の隣り合う辺には、両者の辺を分解自在に結合するための固定金具１６が設けられている。
そして、使用時には、底部反射板１１に対して左反射板１２および右反射板１３が互いに９０度で交差するように折り曲げて、固定金具１６にて固定することで、図２（ａ）に示すように、反射面Ａ〜反射面Ｃが直角三角錐をなす三面体コーナレフレクタ１０を構成することが可能になっている。なお、この組み立てに際しては、後述する組み立て調整用治具３０を用いることができる。
【００２０】
また、底部反射板１１〜右反射板１３の各々において、三面体コーナレフレクタ１０の輪郭をなす辺には、図２（ｂ）に示すように、面取り角度θｍが、たとえば、３５．２６度以下になるように面取り部１４が設けられている。これにより、三面体コーナレフレクタ１０の反射面Ａ〜反射面Ｃに正対する方向から見た場合に、底部反射板１１〜右反射板１３の各々の板厚の端面が不可視となり、図２（ｃ）の従来の場合のように、板厚の端面における入射波７２ａの散乱波がノイズとして生じることが防止される。
【００２１】
すなわち、図２（ａ）に示すように、三面体コーナレフレクタ１０の組み立て状態においては、三面体コーナレフレクタ１０を反射面Ａ〜反射面Ｃに正対する方向（すなわちレーダビーム（入射波７２ａ）の入射方向）から見た場合、底部反射板１１、左反射板１２、右反射板１３の交線と輪郭が見えるだけとなり、それ以外の反射波のノイズ要因となる凹凸や輪郭部の板厚端面等は全く見えない状態となる。
【００２２】
図３（ａ）および（ｂ）は、反射板の結合にねじを用いる構成の三面体コーナレフレクタ２０の例を示す分解組み立て図である。
この三面体コーナレフレクタ２０は、各々が直角二等辺三角形の底部反射板２１、左反射板２２および右反射板２３を備えている。
【００２３】
底部反射板２１は、図３（ａ）および図４（ａ）に示されるように、底部反射板２１には、直交する二辺に沿って厚さ方向に貫通する貫通ねじ穴２１ａおよび貫通ねじ穴２１ｂが設けられ、他の一辺には面取り部２４が設けられている。
【００２４】
左反射板２２には、図３（ａ）および図４（ｂ）に示されるように、直交する二辺の一方に沿って厚さ方向に貫通するように形成された貫通ねじ穴２２ａと、他方の辺の端面に穿設されたねじ穴２２ｂが設けられている。また、残りの一辺には面取り部２４が設けられている。
【００２５】
右反射板２３には、図３（ａ）および図４（ｃ）に示されるように、直交する二辺の各々の端面に穿設されたねじ穴２３ａおよびねじ穴２３ｂが設けられている。また、残りの一辺には面取り部２４が設けられている。
【００２６】
そして、組み立てに際しては、図３（ａ）に示すように、底部反射板２１の直交する二辺に沿って設けられた貫通ねじ穴２１ａおよび貫通ねじ穴２１ｂの上に、左反射板２２のねじ穴２２ｂが形成された端面、および右反射板２３のねじ穴２３ｂが形成された端面が、それぞれ重なるように配置するとともに、左反射板２２の貫通ねじ穴２２ａと右反射板２３のねじ穴２３ａが重なり合うように、左反射板２２と右反射板２３を位置決めする。
【００２７】
これにより、組み立て状態では、底部反射板２１の貫通ネジ穴２１ａおよび貫通ネジ穴２１ｂ、左反射板２２の貫通ネジ穴２２ａおよびネジ穴２２ｂ、右反射板２３のネジ穴２３ａおよびネジ穴２３ｂは、互いに他の反射板の端面にて隠蔽されることで、反射面Ａ〜反射面Ｃに正対する方向からは全く見えなくなる。
【００２８】
そして、底部反射板２１の貫通ねじ穴２１ａと左反射板２２のねじ穴２２ｂをねじ２５ａにて締結し、底部反射板２１の貫通ねじ穴２１ｂと右反射板２３のねじ穴２３ｂをねじ２５ｂにて締結し、左反射板２２の貫通ねじ穴２２ａと右反射板２３のねじ穴２３ａをねじ２５ｃにて締結することで、図３（ｂ）に示されるように、底部反射板２１、左反射板２２、右反射板２３が、反射面Ａないし反射面Ｃを内側にして互いに直交するように直角三角錐をなして固定され、使用状態の三面体コーナレフレクタ２０が構成される。
【００２９】
なお、この三面体コーナレフレクタ２０の組み立てに際しては、後述する組み立て調整用治具３０を用いることができる。
この図３（ｂ）の組み立て状態では、三面体コーナレフレクタ２０を反射面Ａ〜反射面Ｃに正対する方向（すなわちレーダビームの入射方向）から見た場合、底部反射板２１、左反射板２２、右反射板２３の交線と輪郭が見えるだけとなり、それ以外の反射波のノイズ要因となる凹凸や輪郭部の板厚端面等は全く見えない状態となる。
【００３０】
次に、図５を参照して、上述の三面体コーナレフレクタ１０および三面体コーナレフレクタ２０の組み立て方法の一例について説明する。簡単のため、三面体コーナレフレクタ２０の場合について説明するが、三面体コーナレフレクタ１０についても同様である。
【００３１】
上述の三面体コーナレフレクタ２０には、図５に示す、棒状の組み立て調整用治具３０を備えることができる。
この組み立て調整用治具３０は、基端部が可動支持部３１を介して、底部反射板２１、左反射板２２、右反射板２３の角部に回動自在に支持されている。組み立て調整用治具３０の先端部には、組み立て状態の三面体コーナレフレクタ２０の輪郭の各辺に係止するための固定フック３２が設けられている。
【００３２】
不使用時には、組み立て調整用治具３０は、可動支持部３１により三面体コーナレフレクタ２０の背面側に隠蔽されるように折り畳むことが可能になっている。
組み立て調整用治具３０において、可動支持部３１から固定フック３２までの長さは、組み立て状態の三面体コーナレフレクタ２０の正三角形をなす輪郭の二等分線の長さに設定されている。
【００３３】
そして、三面体コーナレフレクタ２０の、図３のような組み立て作業に際して、底部反射板２１、左反射板２２、右反射板２３を、ねじ２５ａ〜ねじ２５ｃで仮止めした状態（図５（ａ））で、複数の組み立て調整用治具３０を三面体コーナレフレクタ２０の正面の略正三角形の輪郭の各角部から対向辺側にそれぞれ差し渡し、個々の組み立て調整用治具３０が、他の組み立て調整用治具３０に対して、２：１の長さの比率で交差するように、底部反射板２１、左反射板２２、右反射板２３の交差角を調整してねじ２５ａ〜ねじ２５ｃで最終的に固定することで、これらの反射面Ａ、反射面Ｂ、反射面Ｃが、互いに９０度で正確に交差する状態に位置決めできる。すなわち、正確な反射面Ａ、反射面Ｂ、反射面Ｃを有する三面体コーナレフレクタ２０を組み立てることが可能になる。三面体コーナレフレクタ１０の場合も同様である。
【００３４】
この組み立て調整用治具３０を備えることで、分解（折り畳み）／組み立てを繰り返しても、反射面Ａ〜反射面Ｃが正確な直角三角錐をなす三面体コーナレフレクタ１０や三面体コーナレフレクタ２０を実現できる。
【００３５】
上述の三面体コーナレフレクタ１０および三面体コーナレフレクタ２０は、実際の使用時には、互いに直交する三つの反射面Ａ〜反射面Ｃの対称軸がレーザビームの到来方向に平行になるようになんらかの方法で支持される必要がある。
【００３６】
本実施の形態の場合には、図６および図７に例示される三脚取付治具４０を用いて、三脚８０に支持させる。すなわち、三脚取付治具４０は、反射面Ａを構成する底部反射板１１または底部反射板２１の背面を支持する傾斜支持板４１と、三脚接続板４２を備えている。傾斜支持板４１は、貫通ねじ穴４１ａが設けられ、複数のレフレクタ固定ねじ４３を用いて底部反射板１１または底部反射板２１の背面に密着するように固定される。なお、底部反射板１１または底部反射板２１の背面側には、レフレクタ固定ねじ４３が螺合するための図示しないねじ穴が穿設されるが、このねじ穴は反射面Ａの側に開口することはなく、また、反射面Ａに凹凸が生じることがないように、底部反射板１１または底部反射板２１の板厚、穿設深さ、レフレクタ固定ねじ４３の長さ等が設定されている。
【００３７】
また、三脚取付治具４０は、三面体コーナレフレクタ１０または三面体コーナレフレクタ２０の正面から見た場合に、全体が底部反射板１１または底部反射板２１の背面側に隠蔽されるように各部の寸法が設定されている。また、傾斜支持板４１の水平方向に対する傾斜角度は、三脚８０に支持された状態で対称軸Ｚがほぼ水平方向になるように、面取り角度θｍとほぼ等しく設定されている。
【００３８】
三脚接続板４２の中央には、三脚８０の上端が螺合する三脚ねじ穴４２ａが穿設されており、三脚８０が着脱自在に固定される。
このような三脚取付治具４０により、図６に例示されるように、組み立て状態の三面体コーナレフレクタ１０または三面体コーナレフレクタ２０は、その反射面Ａ〜反射面Ｃの対称軸Ｚが水平になるように、三脚８０に支持される。また、三面体コーナレフレクタ１０または三面体コーナレフレクタ２０に正対する方向から見た場合、三脚取付治具４０は、底部反射板１１または底部反射板２１の背面側に完全に隠蔽されて不可視となる。これにより、三脚取付治具４０がレーダビームのノイズ反射の要因となることもない。
【００３９】
なお、三脚取付治具４０を支持する三脚８０は見える状態となるが、この三脚８０を電波吸収体で構成することで、三面体コーナレフレクタ１０または三面体コーナレフレクタ２０を正面から見た状態で、レーダビームの乱反射ノイズとなる要因はほぼ皆無となる。
【００４０】
組み立て後の三面体コーナレフレクタ１０または三面体コーナレフレクタ２０を使用する場合、対称軸Ｚをレーダシステム７０のアンテナ７１の主ビームに正対させる位置決め作業を行う必要がある。
【００４１】
このため、図１０（ｂ）に示されるように、三面体コーナレフレクタの対称軸Ｚが通るコーナ部に穴を開けて、レーザ源のような直線性発光体や反射鏡等のマーカ６０を埋め込んで配置することも考えられるが、この場合、有効反射断面積（図１３）が減少するとともに、マーカ６０や設置穴がレーダビームの乱反射のノイズ源となる。
【００４２】
そこで、本実施の形態では、図８に例示されるようなマーカ取付治具５０を用いて、位置決め作業の必要な時のみマーカ６０を三面体コーナレフレクタ１０または三面体コーナレフレクタ２０の対称軸Ｚ上に配置する構成とする。
【００４３】
すなわち、マーカ取付治具５０は、可動支持部５１を介して、基端部が反射面Ｂと反射面Ｃの合わせ面の頂点部分に支持され、先端部には、マーカ６０を保持するためのマーカフック部５２が設けられている。
【００４４】
そして、不使用時は、図８（ａ）のように、マーカ取付治具５０を三面体コーナレフレクタ１０または三面体コーナレフレクタ２０の背面側に退避させておき、使用時には、図８（ｂ）および図９のようにマーカ取付治具５０のマーカフック部５２を対称軸Ｚ上に移動させて、図８（ｃ）のようにマーカ６０を保持させる。
そして、このマーカ６０を目標にしてアンテナ７１の主ビーム方向と対称軸Ｚとの位置合わせを行う。
【００４５】
また、三面体コーナレフレクタ１０または三面体コーナレフレクタ２０を反射体としたレーダビームの測定時にはレーダビームの入射した方向からマーカ６０が見えないように、マーカ取付治具５０およびマーカ６０を三面体コーナレフレクタ１０または三面体コーナレフレクタ２０の背面側に折り畳んで隠れるようにする。
【００４６】
これにより、マーカ６０の配置のために三面体コーナレフレクタ１０や三面体コーナレフレクタ２０の、入射波７２ａを反射波７２ｂとして返す有効反射断面積（図１３（ａ）〜（ｃ））を減少させることなく、当該マーカ６０を用いてレーダシステム７０との位置合わせ作業が可能となる。
【００４７】
以上説明したように、本実施の形態の三面体コーナレフレクタ１０および三面体コーナレフレクタ２０によれば、図１に示すような三面体コーナレフレクタの金属板の各辺でのヒンジ結合による展開構造、もしくは、各反射板の各辺だけのねじ止めによる展開構造を有するので、個々の反射面Ａ〜反射面Ｃを折り曲げない展開構造となり、三面体コーナレフレクタを用いた測定時における面精度への影響（図１２）を及ぼさず組み立てることが可能となる。
【００４８】
換言すれば、面精度を損なうことなく、反射面Ａ〜反射面Ｃの大型化による有効反射断面積（図１３）の増大による反射ビームの利得増大と、分解／組み立てによる取り扱いの利便性向上とを両立させることができる。
【００４９】
また、図５に示すように、展開した三面体コーナレフレクタを組み立てる際に、組み立て調整用治具３０を用いることで、各反射面Ａ〜反射面Ｃの交差角度を９０度に正確に再現可能となる。
さらに、組み立て時に入射ビーム方向からみて可視できないような面取り部１４（面取り部２４）を持つ底部反射板１１〜右反射板１３（底部反射板２１〜右反射板２３）にて三面体コーナレフレクタ１０（三面体コーナレフレクタ２０）を構成することで測定時の誤差を低減することができる。
【００５０】
また、実際に三面体コーナレフレクタ１０や三面体コーナレフレクタ２０を用いた図１０（ａ）のようなレーダシステム７０の性能評価等において、正確な受信電力を知る際には、三面体コーナレフレクタ１０（三面体コーナレフレクタ２０）が図１１に示すような指向性をもっているためアンテナ７１の中心軸が、対称軸Ｚに一致するように位置合わせを行う必要がある。
本実施の形態では、三面体コーナレフレクタ１０（三面体コーナレフレクタ２０）に対して、退避可能なようにマーカ６０をマーカ取付治具５０を用いて配置するので、マーカ取付治具５０は測定位置調整時には図８（ｃ）に示すように直進性発光媒体等からなるマーカ６０を対称軸Ｚ上に固定でき、この発光点を観測することでアンテナ７１の位置を合わせることが可能である。また、測定時にはレーダビームの入射の障害にならないように、三面体コーナレフレクタ１０（三面体コーナレフレクタ２０）の背面に折り畳むことができる。
【００５１】
なお、本発明は、上述の実施の形態に例示した構成に限らず、その趣旨を逸脱しない範囲で種々変更可能であることは言うまでもない。
（付記１）
互いに直交する反射板を組みあわせたレーダ用レフレクタであって、複数の前記反射板の境界の各辺を屈曲可能に結合するヒンジ結合部を含む展開構造を備えたことを特徴とするレーダ用レフレクタ。
【００５２】
（付記２）
付記１記載のレーダ用レフレクタにおいて、前記反射板に対するレーダビームの入射方向から見て、個々の前記反射板の端面の板厚が不可視となるように、個々の前記反射板の辺に面取部が設けられていることを特徴とするレーダ用レフレクタ。
【００５３】
（付記３）
付記１記載のレーダ用レフレクタにおいて、組み立て状態の複数の前記反射板の対称軸上に、当該対称軸をレーダビームの入射方向に位置決めするための位置合わせマーカを移動自在に配置するマーカ取付治具を備えたことを特徴とするレーダ用レフレクタ。
【００５４】
（付記４）
付記１記載のレーダ用レフレクタにおいて、前記反射板の反射面を損なうことなく、かつレーダビームの入射方向から見て前記レーダ用レフレクタの背後に隠蔽されるように前記レーダ用レフレクタを支持するレフレンタ支持構造を備えたことを特徴とするレーダ用レフレクタ。
【００５５】
（付記５）
互いに直交する反射板を組みあわせたレーダ用レフレクタであって、複数の前記反射板の組み立て状態において、レーダビームの入射方向から不可視となるように個々の前記反射板に穿設された複数のねじ穴と、前記ねじ穴に螺合して複数の前記反射板を締結するねじと、を含むことを特徴とするレーダ用レフレクタ。
【００５６】
（付記６）
付記５記載のレーダ用レフレクタにおいて、組み立て時に複数の前記反射板の位置決めを行う組み立て治具を備えたことを特徴とするレーダ用レフレクタ。
【００５７】
（付記７）
付記５記載のレーダ用レフレクタにおいて、前記反射板に対するレーダビームの入射方向から見て、個々の前記反射板の端面の板厚が不可視となるように、個々の前記反射板の辺に面取部が設けられていることを特徴とするレーダ用レフレクタ。
【００５８】
（付記８）
付記５記載のレーダ用レフレクタにおいて、組み立て状態の複数の前記反射板の対称軸上に、当該対称軸をレーダビームの入射方向に位置決めするための位置合わせマーカを移動自在に配置するマーカ取付治具を備えたことを特徴とするレーダ用レフレクタ。
【００５９】
（付記９）
付記５記載のレーダ用レフレクタにおいて、前記反射板の反射面を損なうことなく、かつレーダビームの入射方向から見て前記レーダ用レフレクタの背後に隠蔽されるように前記レーダ用レフレクタを支持するレフレンタ支持構造を備えたことを特徴とするレーダ用レフレクタ。
【００６０】
（付記１０）
互いに直交する反射板を組みあわせたレーダ用レフレクタであって、組み立て状態の複数の前記反射板の対称軸上に、当該対称軸をレーダビームの入射方向に位置決めするための位置合わせマーカを移動自在に配置するマーカ取付治具を備えたことを特徴とするレーダ用レフレクタ。
【００６１】
（付記１１）
互いに直交する反射板を組みあわせたレーダ用レフレクタであって、前記反射板に対するレーダビームの入射方向から見て、個々の前記反射板の端面の板厚が不可視となるように、個々の前記反射板の辺に面取部が設けられていることを特徴とするレーダ用レフレクタ。
【００６２】
（付記１２）
三面体を分解可能な構造、かつ組み立てが可能な構造であることを特徴とする三面体コーナレフレクタにおいて、三面体コーナレフレクタの金属板の各辺だけのヒンジ結合による展開構造を有することで、各面の面精度を保持でき、ヒンジ結合部を固定すれば高精度に再現可能な構造をもつ組み立て可能な三面体コーナレフレクタ。
【００６３】
（付記１３）
三面体を分解可能な構造、かつ組み立てが可能な構造であることを特徴とする三面体コーナレフレクタにおいて、取り付け治具を用い組み立て調整が可能な構造をもつ組み立て可能な三面体コーナレフレクタ。
【００６４】
（付記１４）
付記１２又は付記１３において、入射ビームが三面体コーナレフレクタの対称軸にそって入射した場合、入射ビーム方向からみて、三脚に取り付け可能な治具が可視できない構造を有し、かつ三面体コーナレフレクタの金属板の厚さが入射方向からみて可視できないような構造をもつ三面体コーナレフレクタ。
【００６５】
（付記１５）
付記１２又は付記１３、付記１４記載の三面体コーナレフレクタにおいて、三面体コーナレフレクタの対称軸上にレーダアンテナ主ビームと正対するための直進性発光可能媒体、もしくは鏡を、三面体コーナレフレクタに取り付けられた治具により固定でき調整可能な構造をもつ三面体コーナレフレクタ。
【図面の簡単な説明】
【００６６】
【図１】（ａ）および（ｂ）は、本発明の一実施の形態であるレーダ用レフレクタの構成の一例を示す分解組み立て図である。
【図２】（ａ）〜（ｃ）は、その構成および作用を示す説明図である。
【図３】（ａ）および（ｂ）は、反射板の結合にねじを用いる構成の三面体コーナレフレクタの例を示す分解組み立て図である。
【図４】（ａ）〜（ｃ）は、それぞれ、本発明の実施の形態である三面体コーナレフレクタを構成する底部反射板、左反射板、右反射板の構成を示す斜視図である。
【図５】（ａ）および（ｂ）は、組み立て調整用治具を用いた三面体コーナレフレクタの組み立て方法を工程順に示す正面図である。
【図６】本発明の一実施の形態である三面体コーナレフレクタの支持構造の一例を示す断面図である。
【図７】本発明の一実施の形態である三面体コーナレフレクタの支持構造の一例を示す斜視図である。
【図８】（ａ）〜（ｃ）は、本発明の一実施の形態である三面体コーナレフレクタに備えられるマーカ取付治具の構成および作用を示す正面図である。
【図９】本発明の一実施の形態である三面体コーナレフレクタに備えられるマーカ取付治具の使用状態を示す略断面図である。
【図１０】（ａ）および（ｂ）は、本発明の一実施の形態である三面体コーナレフレクタを用いたレーダシステムの測定調整方法と、従来技術とを比較対照して示す概念図である。
【図１１】レフレクタに対する入射角度の変化によって利得が変化することを示す説明図である。
【図１２】レフレクタの反射面の凹凸と反射波の利得との関係を示す線図である。
【図１３】（ａ）〜（ｃ）は、レフレクタの有効反射断面積と入射波の入射角度の関係を示す説明図である。
【符号の説明】
【００６７】
１０  三面体コーナレフレクタ
１１  底部反射板
１２  左反射板
１３  右反射板
１４  面取り部
１５  ヒンジ
１６  固定金具
２０  三面体コーナレフレクタ
２１  底部反射板
２１ａ  貫通ねじ穴
２１ｂ  貫通ねじ穴
２２  左反射板
２２ａ  貫通ねじ穴
２２ｂ  ねじ穴
２３  右反射板
２３ａ  ねじ穴
２３ｂ  ねじ穴
２４  面取り部
２５ａ  ねじ
２５ｂ  ねじ
２５ｃ  ねじ
３０  組み立て調整用治具
３１  可動支持部
３２  固定フック
４０  三脚取付治具
４１  傾斜支持板
４１ａ  貫通ねじ穴
４２  三脚接続板
４２ａ  三脚ねじ穴
４３  レフレクタ固定ねじ
５０  マーカ取付治具
５１  可動支持部
５２  マーカフック部
６０  マーカ
７０  レーダシステム
７１  アンテナ
７２ａ  入射波
７２ｂ  反射波
８０  三脚
Ａ  反射面
Ｂ  反射面
Ｃ  反射面
Ｚ  対称軸
θｍ  面取り角度
【図１】
2006013819.tif 000003
【図２】
2006013819.tif 000004
【図３】
2006013819.tif 000005
【図４】
2006013819.tif 000006
【図５】
2006013819.tif 000007
【図６】
2006013819.tif 000008
【図７】
2006013819.tif 000009
【図８】
2006013819.tif 000010
【図９】
2006013819.tif 000011
【図１０】
2006013819.tif 000012
【図１１】
2006013819.tif 000013
【図１２】
2006013819.tif 000014
【図１３】
2006013819.tif 000015